(57)【要約】【課題】試作コスト抑えて、簡単に試験用の多連ラバースイッチを形成することができる試験用多連ラバースイッチとその製造方法を提供する。【解決手段】一つの電子機器に設定された複数のスイッチ位置に各々対応して設けられたラバースイッチの複数のドーム部１４，１６，１８と、各ドーム部１４，１６，１８に一体に設けられた接点導体１４ｄ，１６ｄ，１８ｄとを有する。各ドーム部１４，１６，１８の周囲に一体に形成されたシート状の基部１４ａ，１６ａ，１８ａと、各基部１４ａ，１６ａ，１８ａが嵌合する複数の開口部１２ａを有した１枚のベースシート１２を備える。各ドーム部１４，１６，１８の基部１４ａ，１６ａ，１８ａと、ベースシート１２に貼付されて、各々を一体に保持する樹脂シート２０を備える。【選択図】図３
2012104224.tif 000002
【特許請求の範囲】
【請求項１】
一つの電子機器に設定された複数のスイッチ位置に各々対応して設けられたラバースイッチの複数のドーム部と、この各ドーム部に一体に設けられた接点導体とを有し、前記電子機器の各スイッチの試験を行う試験用多連ラバースイッチにおいて、
前記各ドーム部の周囲に一体に形成されたシート状の基部と、前記各ドーム部の前記基部が嵌合する複数の開口部を有した１枚のベースシートと、前記各ドーム部の前記基部と前記ベースシートとに貼付されて前記基部と前記ベースシートを一体に保持する樹脂シートとから成ることを特徴とする試験用多連ラバースイッチ。
【請求項２】
前記ドーム部の前記基部の厚みと、前記ベースシートの厚みが等しく、前記ドーム部と前記ベースシートとが同様のシリコーンゴムにより形成されている請求項１記載の試験用多連ラバースイッチ。
【請求項３】
前記ベースシートの裏面には、エアー逃げ溝が形成されている請求項２記載の試験用多連ラバースイッチ。
【請求項４】
一つの電子機器に取り付けられた複数のスイッチ位置に各々対応した複数のラバースイッチのドーム部を成形し、この各ドーム部の基部を、前記各ドーム部と同様のシリコーンゴムにより形成されたベースシートの各開口部に嵌合し、前記各ドーム部の前記基部と前記ベースシートに樹脂シートを貼付して、前記各ドーム部の前記基部と前記ベースシートを一体に固定することを特徴とする試験用多連ラバースイッチの製造方法。
【発明の詳細な説明】
【技術分野】
【０００１】
この発明は、電子機器の押しボタンやキーボード等の内部の接点に使用されるラバースイッチを試験用に試作した試験用多連ラバースイッチとその製造方法に関する。
【背景技術】
【０００２】
従来、オーディオ機器や映像機器などの電子機器の操作用スイッチとして取り付けられた押しボタン式のスイッチとして、特許文献１，２，３に開示されているような、シリコーンゴムで成形されたラバースイッチが用いられている。このラバースイッチは、製品の配線が設けられたケースや内部のメンブレンシートに、個々のラバースイッチ本体であるドーム部が接着されているものである。しかし、このラバースイッチの構造の場合、個々のスイッチ用の接点に対応して、ラバースイッチのドーム部を個別に接着しなければならず、スイッチの多い製品の場合、製造工数及びコストがかかるという問題があった。
【０００３】
そこで、製品に取り付けるラバースイッチをより効率的に取り付ける構造として、複数の接点に対応して、ラバースイッチの複数のドーム部が１枚のゴムシートに一体に形成された多連ラバースイッチシートがある。
【先行技術文献】
【特許文献】
【０００４】
【特許文献１】特開平８−２５５５３０号公報
【特許文献２】特開平９−１６７８号公報
【特許文献３】実用新案登録第３１３２６４１号公報
【発明の概要】
【発明が解決しようとする課題】
【０００５】
この多連ラバースイッチを備えた電子機器の新製品の開発途中においては、試作品のラバースイッチが用いられる。試作品のラバースイッチとしては、型のコストが安いウレタンゴムの注型成形による試作品が用いられている。しかし、ウレタンゴムによる試作品のラバースイッチの場合、操作荷重の特性の再現性が量産品のシリコーンゴムと比較して良くないので、製品の試験用にはシリコーンゴムの多連ラバースイッチを用いなければならない。そのため、試験用にシリコーンゴムの多連ラバースイッチを成形する１個取りの専用の試作型も必要となり、金型コストがかかるものであった。
【０００６】
この発明は、上記背景技術の問題点に鑑みてなされたもので、試作コスト抑えて、簡単に試験用の多連ラバースイッチを形成することができる試験用多連ラバースイッチとその製造方法を提供することを目的とする。
【課題を解決するための手段】
【０００７】
この発明は、一つの電子機器に設定された複数のスイッチ位置に各々対応して設けられたラバースイッチの複数のドーム部と、この各ドーム部に一体に設けられた接点導体とを有し、前記電子機器の各スイッチの試験を行う試験用多連ラバースイッチであって、各ドーム部の周囲に一体に形成されたシート状の基部と、前記各ドーム部の前記基部が嵌合する複数の開口部を有した１枚のベースシートと、前記各ドーム部の前記基部と前記ベースシートとに貼付されて前記基部と前記ベースシートを一体に保持する樹脂シートとから成る試験用多連ラバースイッチである。
【０００８】
前記ドーム部の前記基部の厚みと、前記ベースシートの厚みが等しく、前記ドーム部と前記ベースシートとが同様のシリコーンゴムにより形成されているものである。前記ベースシートの裏面には、エアー逃げ溝が形成されている。
【０００９】
またこの発明は、一つの電子機器に取り付けられた複数のスイッチ位置に各々対応した複数のラバースイッチのドーム部を成形し、この各ドーム部の前記基部を、各ドーム部と同様のシリコーンゴムにより形成されたベースシートの各開口部に嵌合し、前記各ドーム部の前記基部と前記ベースシートに樹脂シートを貼付して、前記各ドーム部の前記基部と前記ベースシートを一体に固定する試験用多連ラバースイッチの製造方法である。
【発明の効果】
【００１０】
この発明の試験用多連ラバースイッチによれば、試作用の試験用多連ラバースイッチを、量産品と同様の材料により成形することができ、性能試験を量産品と同等の条件で行うことができる。しかも金型コストは、ドーム部の数が少ない少数個取りのもので良く、安価に抑えられ、製造コストが掛からない。また、単体のドーム部をベースシートに嵌合する構造であるが、樹脂シートを貼り付けて被うことにより、隙間を無くし、静電気の進入を防止することができ、一体成形の量産用多連ラバースイッチと同様の性能を有する。
【図面の簡単な説明】
【００１１】
【図１】この発明の第一実施形態の試験用多連ラバースイッチのドーム部の成形体を示す平面図（ａ）、部分破断正面図（ｂ）、底面図（ｃ）である。
【図２】この発明の第一実施形態の試験用多連ラバースイッチに用いるドーム部を示す平面図（ａ）、縦断面図（ｂ）、底面図（ｃ）である。
【図３】この発明の第一実施形態の試験用多連ラバースイッチの分解斜視図である。
【図４】この発明の第一実施形態の試験用多連ラバースイッチを示す平面図（ａ）、部分破断正面図（ｂ）、底面図（ｃ）である。
【図５】この発明の第二実施形態の試験用多連ラバースイッチの分解斜視図である。
【図６】この発明の第二実施形態の試験用多連ラバースイッチを示す平面図（ａ）、部分破断正面図（ｂ）、底面図（ｃ）である。
【発明を実施するための形態】
【００１２】
以下、この発明の実施形態について図面に基づいて説明する。図１〜図４はこの発明の第一実施形態を示すもので、この実施形態の試験用多連ラバースイッチ１０は、所定の製品のスイッチ位置に対応して、例えば３個のドーム部１４，１６，１８が位置するように配置されたもので、シリコーンゴム等の１枚の矩形のベースシート１２に、シリコーンゴム等のラバー材から成る個別のドーム部１４，１６，１８が固定されている。ドーム部１４，１６，１８の下端部の周囲には、矩形のシート状の基部１４ａ，１６ａ，１８ａが一体に形成され、ベースシート１２の各開口部１２ａに基部１４ａ，１６ａ，１８ａが嵌合されている。ベースシート１２の各開口部１２ａと各基部１４ａ，１６ａ，１８ａの外形は等しく、ベースシート１２と基部１４ａ，１６ａ，１８ａの厚みは等しいので、互いに密に良好に嵌合する。ベースシート１２とドーム部１４，１６，１８の固定は、ベースシート１２の表面に貼付された粘着剤付きのＰＥＴ等の樹脂シート２０に、ドーム部１４，１６，１８が貼り付けられて固定されている。なお、樹脂シート２０の所定位置にも、ドーム部１４，１６，１８の突出部分が露出するように透孔２０ａが形成され、ベースシート１２の各開口部１２ａに嵌合した基部１４ａ，１６ａ，１８ａが、樹脂シート２０の裏面の粘着剤に貼り付けられている。
【００１３】
ドーム部１４内には、図２（ｂ）に示すように、基部１４ａに対してほぼ直角に下方に突出した円柱状の押圧部１４ｂと、押圧部１４ｂの先端部に設けられた接点導体１４ｄを備えている。また、基部１４ａの裏面には、十字状にエアー逃げ溝１４ｃが形成されている。さらに、ベースシート１２の裏面にも、互いに平行に複数のエアー逃げ溝１２ｃが形成されている。他のドーム部１６，１８も同様に、押圧部１６ｂ，１８ｂと、その先端部の導電性の接点導体１６ｄ，１８ｄと、基部１６ａ，１８ａの裏面に形成された十字状のエアー逃げ溝１６ｃ，１８ｃが形成されている。
【００１４】
この実施形態の試験用多連ラバースイッチ１０の製造方法は、先ず、量産品と同形状のシリコーンゴム製ラバースイッチを成形する金型を作成する。この金型は、量産用の多数個取りでなく、安価な１個又は少数個取りのものを作成する。この金型により、図１に示すようなシリコーンゴム製のラバースイッチ成形体２２を複数個作成する。次に、作成したラバースイッチ成形体２２を、ドーム部毎に、図２に示すように分割する。これと同時に、例えば量産品の多連ラバースイッチが３個のドーム部を備える場合、３個のスイッチ位置に対応した開口部１２ａを有し、量産品の多連ラバースイッチのシート形状よりやや大きい形状のラバーシートであるベースシート１２を形成する。そして、ベースシート１２の所定位置に開口部１２ａを形成する。この後、分割した各ドーム部１４，１６，１８を、図３に示すように、一枚のベースシート１２の各開口部１２ａに嵌合させる。このとき、ベースシート１２の各開口部１２ａと各基部１４ａ，１６ａ，１８ａの外形は等しく、ベースシート１２と各ドーム部１４，１６，１８の基部１４ａ，１６ａ，１８ａの厚みは等しいので、表面が面一になり良好に嵌合する。この後、上方から樹脂シート２０を貼り付け、各ドーム部１４，１６，１８をベースシート１２に固定する。そして、図３の２点鎖線で示す位置で、ベースシート１２と樹脂シート２０の周縁部を切除し、ベースシート１２と樹脂シート２０を、量産品の多連ラバースイッチのシート形状と同形状とする。この状態で、シリコーンゴム製のドーム部１４，１６，１８が、量産品と同様の配置に設けられた試作品の試験用多連ラバースイッチ１０が完成する。
【００１５】
この実施形態の試験用多連ラバースイッチ１０によれば、試作用の試験用多連ラバースイッチ１０のドーム部を、量産品と同様にシリコーンゴム製で成形することができ、しかも金型コストは、少数個取りのもので良く、安価に抑えられ、製造コストが掛からない。また、単体のドーム部１４，１６，１８をベースシート１２に嵌合する構造であるが、樹脂シート２０を貼り付けて被うことにより、隙間を無くし、静電気の進入を防止することができ、一体成形の量産用多連ラバースイッチと同様の構成及び性能を有する。
【００１６】
次に、この発明の試験用多連ラバースイッチとその製造方法の第二実施形態について、図５、図６を基にして説明する。ここで、上記実施形態と同様の構成は、同一の符号を付して説明を省略する。この実施形態のラバースイッチ用成形体３０は、樹脂シート３２がベースシート１２の裏面側に位置し、ベースシート１２及びドーム部１４，１６，１８の基部１４ａ，１６ａ，１８ａの裏面側に、樹脂シート３２が貼付されるものである。樹脂シート３２には、各ドーム部１４，１６，１８の基部１４ａ，１６ａ，１８ａに形成されたエアー逃げ溝１４ｃ，１６ｃ，１８ｃに対応して連通するスリット３４が、各開口部３２ａに繋がって、十字状に形成されている。
【００１７】
この実施形態の試験用多連ラバースイッチによっても上記実施形態と同様の効果を得ることができ、エアー逃げ溝用のスリット３４により、実際の量産品と同様の構成及び性能とすることができる。
【００１８】
この発明の試験用多連ラバースイッチは、上記実施の形態に限定されず、ラバースイッチの形状や数は、電子機器に合わせて適宜変更可能である。
【符号の説明】
【００１９】
１０  試験用多連ラバースイッチ
１２  ベースシート
１２ａ，１４ｃ，１６ｃ，１８ｃ  エアー逃げ溝
１４，１６，１８  ドーム部
１４ａ，１６ａ，１８ａ  基部
１４ｂ，１６ｂ，１８ｂ  押圧部
１４ｄ，１６ｄ，１８ｄ  接点導体
２０  樹脂シート
【図１】
2012104224.tif 000003
【図２】
2012104224.tif 000004
【図３】
2012104224.tif 000005
【図４】
2012104224.tif 000006
【図５】
2012104224.tif 000007
【図６】
2012104224.tif 000008